【手続補正書】
【提出日】平成17年1月24日(2005.1.24)
【手続補正１】
【補正対象書類名】明細書
【補正対象項目名】特許請求の範囲
【補正方法】変更
【補正の内容】
【特許請求の範囲】
【請求項１】
無線ローカルエリアネットワーク（ＷＬＡＮ）用コントローラであって、
行先局に送信されるフレームを供給し、行先局によりフレームが受信されたという肯定応答を受信するための、送信局に配置されるデータ処理ユニットと、
前記データ処理ユニットに応答し、行先局に送られる送信時間予約要求の送信を動的に制御するため、各フレームの送信のために行なわれる試行の数およびフレームの送信に応答する肯定応答の受信の失敗の数をモニタするための制御ユニットとを含み、
前記制御ユニットは、ＷＬＡＮに対する平均動作条件からの、行先局の各々に対する動作条件の偏差を決定するため、行先局へのフレームの送信のため行なわれた試行の平均数およびＷＬＡＮに対する肯定応答の受信の失敗の平均数を決定するよう適合される、無線ローカルエリアネットワーク用コントローラ。
【請求項２】
前記制御ユニットは、前記データ処理ユニットに応答し、行先局に送られるデータフレームの分割を動的に制御する、請求項１に記載の無線ローカルエリアネットワーク用コントローラ。
【請求項３】
前記制御ユニットは、前記データ処理ユニットに応答し、各フレームの送信に対し送信時間予約が行なわれているかどうかを決定する、請求項２に記載の無線ローカルエリアネットワーク用コントローラ。
【請求項４】
前記制御ユニットは、送信時間予約がフレームの送信に対し行なわれていないときに、行先局へのフレームの送信のため行なわれた試行の数および肯定応答の受信の失敗の数に基づき、行先局への送信時間予約要求の送信のためしきい値レベルを動的に調整するよう適合される、請求項３に記載の無線ローカルエリアネットワーク用コントローラ。
【請求項５】
前記制御ユニットは、送信時間予約がフレームの送信のため行なわれているとき、行先局へのフレームの送信のため行なわれた試行の数および肯定応答の受信の失敗の数に基づき、行先局へ送信されるデータフレームの分割のためにしきい値レベルを動的に調整するよう適合される、請求項３に記載の無線ローカルエリアネットワーク用コントローラ。
【請求項６】
前記制御ユニットに応答し、ＷＬＡＮに対する平均動作条件からの行先局に対する動作条件の偏差により、行先局に送られるフレームの優先順位を制御するためのキューイングユニットをさらに含む、請求項１に記載の無線ローカルエリアネットワーク用コントローラ。
【請求項７】
ＷＬＡＮの動作パラメータを動的に調整する方法であって、  ＷＬＡＮ内の行先局への各フレームの送信をモニタするステップと、
各フレームの送信を保護するため送信時間予約が獲得されているか否かをチェックするステップと、
送信された各フレームに応答して肯定応答が受信されたか否かをモニタするステップと、
ＷＬＡＮの各行先アドレスに対して、送信時間予約が利用可能でないときに、各行先局へのフレームの送信の試行の数を表示する競合試行カウントを維持するステップと、
ＷＬＡＮの各行先アドレスに対して、送信時間予約が利用可能でないときに、肯定応答の受信の失敗の数を表示する競合失敗カウントを維持するステップと、
ＷＬＡＮの各行先アドレスに対して、もしデータフレームのパラメータが送信時間予約しきい値レベルを超えるならばデータフレームの前に送信時間予約要求を送信するため、送信時間予約しきい値レベルを生成するステップと、
送信時間予約により保護されていないフレームが第１の行先アドレスに対応する第１の行先局に送信されるときごとに第１の行先アドレスに対する競合試行カウントをインクリメントするステップと、
保護されていないフレームに応答して肯定応答が受信されないときごとに第１の行先アドレスに対する競合失敗カウントをインクリメントするステップと、
第１の行先アドレスに対して、インクリメントされた競合失敗カウントのインクリメントされた競合試行カウントに対する比により送信時間予約しきい値レベルを調整するステップとを含む、ＷＬＡＮの動作パラメータを動的に調整する方法。
【請求項８】
ＷＬＡＮの各行先アドレスに対して、送信時間予約が利用可能であるときに、各行先局へのフレームの送信の試行の数を表示する保護された試行カウントを維持するステップと、
ＷＬＡＮの各行先アドレスに対して、送信時間予約が利用可能であるときに肯定応答の受信の失敗の数を表示する保護された失敗カウントを維持するステップと、
ＷＬＡＮの各行先アドレスに対して、もしデータフレームのパラメータが分割しきい値レベルを超えているならばデータフレームを分割するための、分割しきい値レベルを生成するステップと、
送信時間予約により保護されるフレームが第１の行先アドレスに対応する第１の行先局に送信されるときごとに第１の行先アドレスに対する保護された試行カウントをインクリメントするステップと、
保護されたフレームに応答して肯定応答が受信されないときごとに第１の行先アドレスに対する保護された失敗カウントをインクリメントするステップと、
インクリメントされた保護された失敗カウントのインクリメントされた保護された試行カウントに対する比により、第１の行先局に送信されるデータフレームの分割を行なうための分割しきい値レベルを調整するステップとをさらに含む、請求項７に記載のＷＬＡＮの動作パラメータを動的に調整する方法。
【請求項９】
ＷＬＡＮに対する競合試行平均カウントおよび競合失敗平均カウントを決定するステップと、
競合試行および競合失敗のインクリメントされたカウントに基づいて、競合試行平均カウントおよび競合失敗平均カウントを変更するステップと、
変更された競合失敗平均カウントの変更された競合試行平均カウントに対する比により、ＷＬＡＮに対する平均送信時間予約しきい値レベルを調整するステップとをさらに含む、請求項７に記載のＷＬＡＮの動作パラメータを動的に調整する方法。
【請求項１０】
第１の行先局に送られるフレームの優先順位を制御するため、第１の行先アドレスに対する調整された送信時間予約しきい値レベルを調整された平均送信時間予約しきい値レベルと比較するステップをさらに含む、請求項９に記載のＷＬＡＮの動作パラメータを動的に調整する方法。
【請求項１１】
ＷＬＡＮに対する保護された試行の平均カウントおよび保護された失敗の平均カウントを決定するステップと、
保護された試行および保護された失敗のインクリメントされたカウントに基づき、保護された試行の平均カウントおよび保護された失敗の平均カウントを変更するステップと、
変更された保護された失敗の平均カウントの変更された保護された試行の平均カウントに対する比により、ＷＬＡＮの平均分割しきい値レベルを調整するステップとをさらに含む、請求項１０に記載のＷＬＡＮの動作パラメータを動的に調整する方法。
【請求項１２】
第１の行先局に送られるフレームの優先順位を制御するため、第１の行先アドレスに対する調整された分割しきい値レベルを調整された平均分割しきい値レベルと比較するステップをさらに含む、請求項１１に記載のＷＬＡＮの動作パラメータを動的に調整する方法。
【請求項１３】
無線通信局用コントローラであって、
行先局へのフレームの送信をモニタするための第１の手段と、
フレームの送信を保護するため送信時間予約が獲得されているか否かを判断するための第２の手段と、
送信されたフレームに応答して肯定応答が受信されているか否かを判断するための第３の手段と、
前記第１、第２および第３の手段に応答し、送信時間予約が利用可能であるときに、行先局へのフレームの送信の試行の数を表示する保護された試行カウントを維持するための第４の手段と、
前記第１、第２および第３の手段に応答し、送信時間予約が利用可能であるときに、肯定応答の受信の失敗の数を表示する保護された失敗カウントを維持するための第５の手段と、
前記第４および第５の手段に応答し、行先局に送信されるデータの分割を制御するための第１の制御手段とを含む、無線通信局用コントローラ。
【請求項１４】
前記第１、第２および第３の手段に応答し、送信時間予約が利用可能でないときに、行先局へのフレームの送信の試行の数を表示する保護されていない試行カウントを維持するための第６の手段と、
前記第１、第２および第３の手段に応答し、送信時間予約が利用可能でないときに、肯定応答の受信の失敗の数を表示する保護されていない失敗カウントを維持するための第７の手段と、
前記第６および第７の手段に応答し、データを行先局に送信する前に送信時間予約要求を可能化するための第２の制御手段とをさらに含む、請求項１３に記載の無線通信局用コントローラ。